(57)【要約】【課題】本発明は、レンズシートを使用した立体画像印刷物を、極めて安価に少量製作できるようにすると共に、簡単容易かつ迅速に製作できるようにした立体画像印刷物を提供する。【解決手段】裏面に光線反射層６０Ｂを印刷したレンズシート１０Ｂと、インクジェットプリンター、レーザープリンター等で印刷した印刷透明シート２０Ｂと透明カードケース５０Ｂとからなり、前記透明カードケース５０Ｂ内に印刷透明シート２０Ｂを出入可能に挿入すると共に、前記透明カードケース５０Ｂの裏面に前記レンズシート１０Ｂを固着して、前記印刷透明シート２０Ｂの印刷画像４０Ｂを前記透明カードケースを通して立体視できるようにした立体画像印刷物である。【選択図】        図２
2013007940.tif 000002
【特許請求の範囲】
【請求項１】
裏面に光線反射層を印刷した、マイクロレンズシート、レンチキュラーレンズシート等のレンズシート（以下、単にレンズシートという。）の表面に、インクジェットプリンター、レーザープリンター等で立体画像にしたい印刷画像を印刷した印刷透明シート（以下、単に印刷透明シートという。）の裏面を再剥離性糊材を介して、重ね合わせて固定してなり、前記印刷透明シートの印刷画像を立体画像視できるようにしたことを特徴とした立体画像印刷物。
【請求項２】
裏面に光線反射層を印刷した、レンズシートと、印刷透明シートと、前記印刷透明シートを出入可能に挿着できるようにした透明カードケースとからなり、前記印刷透明シートを出入可能に挿入した透明カードケースの裏面に塗布した再剥離性糊材を介して、前記レンズシートの表面を重ね合わせて固定して、前記印刷透明シートの印刷画像を立体画像視できるようにしたことを特徴とした立体画像印刷物。
【請求項３】
裏面に光線反射層を印刷した、レンズシートと、印刷透明シートと、透明カードケースとからなり、前記透明カードケース内に前記印刷透明シートと前記レンズシートとを重ね合わせて固定して、前記印刷透明シートの印刷画像を立体画像視できるようにしたことを特徴とした立体画像印刷物。
【請求項４】
裏面に光線反射層を印刷した、レンズシートと、印刷透明シートと、透明ラミネートフィルムとからなり、前記透明ラミネートフィルム内に前記レンズシートと、前記印刷透明フィルムとを重ね合わせて包んで、前記ラミネートフィルムの周縁を熱圧着して固定して、前記印刷透明シートの印刷画像を立体画像視できるようにしたことを特徴とした立体画像印刷物。
【請求項５】
レンズシートと、光線反射シートと、印刷透明シートと、透明カードケースとからなり、前記透明カードケース内に前記印刷透明シートと前記レンズシートと前記光線反射シートとを重ね合わせて固定して、前記印刷透明シートの印刷画像を立体画像視できるようにしたことを特徴とした立体画像印刷物。
【請求項６】
レンズシートと、光線反射シートと、印刷透明シートと、透明ラミネートフィルムとからなり、前記透明ラミネートフィルム内に前記レンズシートと前記光線反射シートと前記印刷透明フィルムとを重ね合わせて包んで、前記ラミネートフィルムの周縁を熱圧着して固定して、前記印刷透明シートの印刷画像を立体画像視できるようにしたことを特徴とした立体画像印刷物。
【発明の詳細な説明】
【技術分野】
【０００１】
本発明は、マイクロレンズシート、レンチキュラーレンズシート等のレンズシート（以下、単にレンズシートという。）を使用した立体画像印刷物に関する。
【背景技術】
【０００２】
従来のレンズシートを使用した立体画像印刷物は、特開２００４−１９１７２６号公報等に示されるように、立体画像を必要とする印刷画像をレンズシートと一体的にオフセット印刷又はシルクスクリーン印刷していたが、少量印刷が必要な場合は、版代が必要なため１枚当たりの単価がかなり高額につく欠点があった。
そこで、本発明者は、少量印刷が必要なときは、立体画像を必要とする印刷画像を透明シートにインクジェットプリンターやレーザープリンターで印刷したのち、印刷された透明シート毎にレンズシートと重ね合わせて固定させることにより、安価に製作できると共に、簡単容易かつ迅速に前記印刷された透明シートの印刷画像を立体視させることに成功した。
【先行技術文献】
【特許文献】
【０００３】
【特許文献１】特開２００４−１９１７２６号公報
【発明の概要】
【発明が解決しようとする課題】
【０００４】
本発明は、立体画像視したい印刷画像を、極めて安価に少量製作できるようにした立体画像印刷物を提供するものである。
また、本発明は、立体画像視したい印刷画像を簡単容易かつ迅速に製作できるようにした立体画像印刷物を提供するものである。
【課題を解決するための手段】
【０００５】
本発明立体画像印刷物の請求項１の発明は、上記課題を達成するため、図１に示すように、裏面に光線反射層６０を印刷した、マイクロレンズシート、レンチキュラーレンズシート等のレンズシート（以下、単にレンズシートという。）１０の表面に、インクジェットプリンター、レーザープリンター等で立体画像にしたい印刷画像を印刷した透明シート（以下、単に印刷透明シートという。）２０の裏面を、再剥離性糊材３０を介して、重ね合わせて固定してなり、前記印刷透明シート２０の印刷画像４０を立体画像視できるようにしたものである。
また、本発明立体画像印刷物の請求項２の発明は、上記課題を達成するため、図２に示すように、裏面に光線反射層６０Ｂを印刷した、レンズシート１０Ｂと、印刷透明シート２０Ｂと、前記印刷透明シート２０Ｂを出入可能に挿着できるようにした透明カードケース５０Ｂとからなり、前記印刷透明シート２０Ｂを出入可能に挿入した透明カードケース５０Ｂの裏面に塗布した再剥離性糊材３０Ｂを介して前記レンズシート１０Ｂの表面を重ね合わせて固定して前記印刷透明シート２０Ｂの印刷画像４０Ｂを立体画視できるようにたものである。
また、本発明立体画像印刷物の請求項３の発明は、上記課題を達成するため、図３に示すように、裏面に光線反射層６０Ｃを印刷した、レンズシート１０Ｃと、印刷透明シート２０Ｃと、透明カードケース５０Ｃとからなり、前記透明カードケース５０Ｃ内に前記レンズシート１０Ｃと前記印刷透明シート２０Ｃとを挿入し重ね合わせて固定して前記印刷透明シート２０Ｃの印刷画像４０Ｃを立体画像視できるようにしたものである。
また、本発明立体画像印刷物の請求項４の発明は、上記課題を達成するため、図４に示すように、裏面に光線反射層６０Ｄを印刷したレンズシート１０Ｄと、印刷透明シート２０Ｄと、透明ラミネートフィルム５０Ｄとからなり、前記透明ラミネートフィルム５０Ｄ内に前記レンズシート１０Ｄと、前記印刷透明フィルム２０Ｄとを重ね合わせて包み、前記ラミネートフィルム５０Ｄの周縁を熱圧着して固定して、前記印刷透明シート２０Ｄの印刷画像４０Ｄを立体画像視できるようにしたものである。
また、本発明立体画像印刷物の請求項５の発明は、上記課題を達成するため、図５に示すように、レンズシート１０Ｅと、光線反射シート６０Ｅと、印刷透明シート２０Ｅと、透明カードケース５０Ｅとからなり、前記透明カードケース５０Ｅ内に前記印刷透明シート２０Ｅと前記レンズシート１０Ｅと前記光線反射シート６０Ｅとを挿入し重ね合わせて固定して、前記印刷透明シート２０Ｅの印刷画像４０Ｅを立体画像視できるようにしたものである。
さらに、本発明立体画像印刷物の請求項６の発明は、上記課題を達成するため、図６に示すように、レンズシート１０Ｆと、光線反射シート６０Ｆと、印刷透明シート２０Ｆと、透明ラミネートフィルム５０Ｆとからなり、前記透明ラミネートフィルム５０Ｆ内に前記レンズシート１０Ｆと前記光線反射シート６０Ｆと前記印刷透明シート２０Ｆとを重ね合わせて包み、前記ラミネートフィルム５０Ｆの周縁を熱圧着して固定し、前記印刷透明シート２０Ｆの印刷画像４０Ｆを立体画像視できるようにしたものである。
本発明において、重ね合わせて固定するには、再剥離性糊材の使用、所定サイズの透明カードケース内に挿着、透明ラミネートフィルムの周縁シールにより包むことにより行われる。
また、本発明において、レンズシート又は印刷透明シート又は透明カードケースに貼着する再剥離性糊材は、全面貼付のほか周縁又は部分貼付が含まれる。
また、本発明において、透明シートに印刷する印刷画像は、別の透明シートに印刷した印刷画像を切り抜いて貼着したものを透明シートに印刷したものでもよい。
さらに、本発明において、レンズシートに印刷した光線反射層又はレンズシートと別個にレンズシートと重ね合わせて固定される光線反射シートは、白色その他の光線反射色を呈する合成樹脂シート又は紙でもよい。
【発明の効果】
【０００６】
本発明の立体画像印刷物は、公知のレンズシートの裏面に光線反射層を印刷したもの又は公知のレンズシートと光線反射シートとを組み合わせたものと、インクジェットプリンターやレーザープリンターで所望の立体画像にしたい印刷画像を印刷した印刷透明シートとを重ね合わせて再剥離性糊材で貼着するか、透明カードケースに挿入するだけでよく、特に、透明カードケースに出入可能に挿入される印刷透明シートの場合は、異なる印刷透明シートと差し替えが容易で、多数の異なる立体画像を迅速に現出させることができ、広告宣伝用、広報用、教育用、写真アルバム用、デザイン研究用、カレンダー等に広く利用でき、その実用的価値は極めて大きい。
【図面の簡単な説明】
【０００７】
【図１】本発明の実施例を断面図的に示した説明図である。
【図２】本発明の別の実施例を断面図的に示した説明図である。
【図３】本発明の別の実施例を断面図的に示した説明図である。
【図４】本発明の別の実施例を断面図的に示した説明図である。
【図５】本発明の別の実施例を断面図的に示した説明図である。
【図６】本発明の別の実施例を断面図的に示した説明図である。
【発明を実施するための形態】
【０００８】
本発明立体画像印刷物の最良の形態が実施例１、実施例２、実施例３、実施例４、実施例５及び実施例６に示される。
【実施例１】
【０００９】
本発明立体画像印刷物の実施例１が図１に示されている。本発明実施例１の立体画像印刷物は、裏面に白色の光線反射層６０を印刷したレンズシート１０と、印刷透明シート２０と、再剥離性糊材３０とからなる。
印刷透明シート２０は、立体画像にしたい印刷画像４０をインクジェットプリンター、レーザープリンター等により印刷するか又は別の印刷物から印刷画像４０を切り抜いて貼着し印刷した透明フィルムである。
再剥離性糊材３０は、アクリル樹脂系等の再剥離性か幅広い点線状に塗布できる接着剤で、透明シート２０の裏面２２の周縁又は全面に塗布されて剥離紙（図示しない）が貼付されたものである。
従って、レンズシート１０の表面１１に、立体画像にしたい印刷画像４０を印刷した印刷透明シート２０の裏面２２を再剥離糊材３０を介して重ね合わせて固定すれば、印刷透明シート２０の印刷画像４０は立体視できることになる。
【実施例２】
【００１０】
本発明立体画像印刷物の実施例２が図２に示されている。本発明実施例２の立体画像の印刷物は、裏面に光線反射層６０Ｂを印刷したレンズシート１０Ｂと、立体画像にしたい印刷画像４０Ｂを印刷した印刷透明シート２０Ｂと、再剥離性糊材３０Ｂと、カードケース５０Ｂとからなる。
レンズシート１０Ｂ、印刷透明シート２０Ｂ及び糊材３０Ｂは、実施例１のものと同一のため、詳細説明は省略する。
カードケース５０Ｂは、印刷透明シート２０Ｂを出入可能に挿着できるようにしたものである。
従って、カードケース５０Ｂの内部５３Ｂに、立体画像にしたい印刷画像４０Ｂを印刷した印刷透明シート２０Ｂを挿入してカードケース５０Ｂの裏面に糊材３０Ｂを介してレンズシート１０Ｂの表面１１Ｂに貼着すれば印刷画像４０Ｂは立体視できることになり、異なった立体画像にしたい印刷画像４０Ｂを印刷した印刷透明シート５０Ｂの差し替えも自由にできる。
【実施例３】
【００１１】
本発明立体画像印刷物の実施例３が図３に示されている。本発明実施例３の立体画像の印刷物は、裏面に光線反射層６０Ｃを印刷したレンズシート１０Ｃと、立体画像にしたい印刷画像４０Ｃを印刷した印刷透明シート２０Ｃと、カードケース５０Ｃとからなる。
レンズシート１０Ｃ及び印刷透明シート２０Ｃは、実施例２のものと同一のため、詳細説明は省略する。
カードケース５０Ｃは、内部５３Ｃにレンズシート１０Ｃと印刷透明シート２０Ｃを出入可能に挿入できるようにしたもので、レンズシート１０Ｃの表面１１Ｃに印刷透明シート２０Ｃの裏面２２Ｃを重ね合わせてカードケース５０Ｃ内に挿入し固定できるようにしたものである。
従って、カードケース５０Ｃを通して、印刷透明シート２０Ｃの印刷画像４０Ｃは立体視できることになり、異なった立体画像にしたい印刷画像４０Ｃを印刷した印刷透明シート５０Ｃの差し替えも自由にできる。
【実施例４】
【００１２】
本発明立体画像印刷物の実施例４が図４に示されている。本発明実施例４の立体画像の印刷物は、裏面に光線反射層６０Ｄを印刷したレンズシート１０Ｄと、立体画像にしたい印刷画像４０Ｄを印刷した印刷透明シート２０Ｄと、透明ラミネートフィルム５０Ｄとからなる。
レンズシート１０Ｄ、印刷透明シート２０Ｄは、実施例３のものと同一のため、詳細説明は省略する。
レンズシート１０Ｄと印刷透明シート２０Ｄとを重ね合わせて透明ラミネートフィルム５０Ｄに包むと共に、透明ラミネートフィルム５０Ｄの周縁５４Ｄを熱圧着して固定したものである。
従って、透明ラミネートフィルム５０Ｄを通して、印刷透明シート２０Ｄの印刷画像４０Ｄは立体視できることになる。
【実施例５】
【００１３】
本発明立体画像印刷物の実施例５が図５に示されている。本発明実施例５の立体画像の印刷物は、レンズシート１０Ｅと、光線反射シート６０Ｅと、立体画像にしたい印刷画像４０Ｅを印刷した印刷透明シート２０Ｅと、カードケース５０Ｅとからなる。
レンズシート１０Ｅ、印刷透明シート２０Ｅは、実施例４のものと同様のものであるので、詳細説明は省略する。
光線反射シート６０Ｅは、レンズシート１０Ｅと同じ大きさに切断した白色合成樹脂シートである。
カードケース５０Ｅは、その内部５３Ｅにレンズシート１０Ｅと光線反射シート６０Ｅと印刷透明シート２０Ｅを出入可能に挿入できるようにしたもので、レンズシート１０Ｅと光線反射シート６０Ｅと印刷透明シート２０Ｅとを重ね合わせてカードケース５０Ｅ内に挿入し固定できるようにしたものである。
従って、カードケース５０Ｅを通して、印刷透明シート２０Ｅの印刷画像４０Ｅは立体視できることになり、異なった立体画像にしたい印刷画像４０Ｅを印刷した印刷透明シート５０Ｅの差し替えも自由にできる。
【実施例６】
【００１４】
本発明立体画像印刷物の実施例６が図６に示されている。本発明実施例６の立体画像の印刷物は、レンズシート１０Ｆと、光線反射シート６０Ｆと、立体画像にしたい印刷画像４０Ｆを印刷した印刷透明シート２０Ｆと、透明ラミネートフィルム５０Ｆとからなる。
レンズシート１０Ｆ、光線反射シート６０Ｆ、印刷透明シート２０Ｆ及び透明ラミネートフィルム５０Ｆは、実施例４のものと同様のものであるので、詳細説明は省略する。
光線反射シート６０Ｆは、実施例５のものと同様のものであるので、詳細説明は省略する。
レンズシート１０Ｆと光線反射シート６０Ｆと印刷透明シート２０Ｆとを重ね合わせて透明ラミネートフィルム５０Ｆに包むと共に、透明ラミネートフィルム５０Ｆの周縁５４Ｆを熱圧着して固定する。
従って、透明ラミネートフィルム５０Ｆを通して、印刷透明シート２０Ｆの印刷画像４０Ｆは立体視できることになる。
【産業上の利用可能性】
【００１５】
本発明品は、製作容易で安価に製造できる。
【符号の説明】
【００１６】
１０、１０Ｂ、１０Ｃ、１０Ｄ、１０Ｅ、１０Ｆ        レンズシート
２０、２０Ｂ、２０Ｃ、２０Ｄ、２０Ｅ、２０Ｆ        印刷透明シート
３０、３０Ｂ                                        糊材
４０、４０Ｂ、４０Ｃ、４０Ｄ、４０Ｅ、４０Ｆ        印刷画像
５０Ｂ、５０Ｃ、５０Ｅ                              カードケース
５０Ｄ、５０Ｆ                                      透明ラミネートフィルム
６０、６０Ｂ、６０Ｃ、６０Ｄ        レンズシートの裏面に印刷された光線反射層
６０Ｅ、６０Ｆ                                      光線反射シート
【図１】
2013007940.tif 000003
【図２】
2013007940.tif 000004
【図３】
2013007940.tif 000005
【図４】
2013007940.tif 000006
【図５】
2013007940.tif 000007
【図６】
2013007940.tif 000008